(57)【要約】【課題】所望の領域に作業性よく敷設することができ、また敷設後の撤去作業が不要であるマルチング材とその敷設方法を提供する。【解決手段】生分解性樹脂を管状あるいはテープ状などの線状体に形成した、または生分解性樹脂に粉砕された草木を混合して管状あるいはテープ状などの線状体に形成したマルチング材１をボビンなどの筒状体２に巻き付け、前記巻き付けられたマルチング材１を前記筒状体２から引出して、植栽物周囲などの所望の領域に敷き詰めて敷設する。【選択図】        図１
2005000109.tif 000002
【特許請求の範囲】
【請求項１】
生分解性樹脂を線状体ないし塊状体に形成したことを特徴とするマルチング材。
【請求項２】
生分解性樹脂に粉砕された草木を混合したことを特徴とするマルチング材。
【請求項３】
前記生分解性樹脂は発泡体であることを特徴とする請求項１または２記載のマルチング材。
【請求項４】
生分解性樹脂を線状体に形成したマルチング材または生分解性樹脂に粉砕された草木を混合して線状体に形成したマルチング材を筒状体に巻き付け、前記巻き付けられたマルチング材を前記筒状体から引出して敷設することを特徴とするマルチング材の敷設方法。
【発明の詳細な説明】
【０００１】
【発明の属する技術分野】
本発明は、地面などを覆うマルチング材およびその敷設方法に関する。
【０００２】
【従来の技術】
地面の保温、水分の蒸散を防ぐ保水、土砂の飛散流出防止、雑草の繁茂防止、景観向上などの目的で地面を覆う工法をマルチングといい、それに用いる材料をマルチング材という。マルチングは、農作物や草木、植林の周囲に、あるいは公園、道路法面、屋上緑化などに採用される。
従来、マルチング材としては、プラスチックなどのシート状のもの、藁、ウッドチップ、砂利などが用いられている（例えば、特許文献１参照。）。
【０００３】
【特許文献１】特開平８−２５９８２３号公報
【０００４】
【発明が解決しようとする課題】
しかしながら、従来のマルチング材には以下のような問題があった。即ち、
１）ポリエチレンなどのプラスチック製シートからなるマルチング材は、敷設の際に、植栽部分を避けるために、シートを部分的に切断したり、丸く切り抜くなどの面倒な作業を要する。また、作物の植え替えや畑を鋤くときには、労力を要する撤去作業が必要になる。さらに、破けやすいために、人が立ち入ったりすると、破れて機能を果たさなくなることがある。なお、微生物の作用で分解する生分解性のマルチングシートが提案されているが、その場合には撤去作業は不要になる。
２）藁材およびウッドチップは、風雨で飛散したり、流出し、マルチング材として機能が低下することがある。また、乾燥時には火災の危険がある。
３）砂利は重量が大きいため、敷設および撤去に多大の労力を要し、また、土壌に混入した場合には土壌の品質を低下させるため、農業、園芸用途では使用が困難な場合が多い。また、ウッドチップと同様に、斜面では使用が困難である。
【０００５】
【課題を解決するための手段】
本発明は上記問題点を解決すべくなされたもので、請求項１記載の発明は、生分解性樹脂を線状体ないし塊状体に形成したことを特徴とするマルチング材である。
ここで、上記線状体は管状体およびテープ状のものを含むものとし、上記塊状体は外形が不特定の充実体および中空体を含むものとする。
また、請求項２記載の発明は、生分解性樹脂に粉砕された草木を混合したことを特徴とするマルチング材である。
また、請求項３記載の発明は、請求項１または２記載の発明において、前記生分解性樹脂は発泡体であることを特徴とするものである。
さらに、請求項４記載の発明は、生分解性樹脂を線状体に形成したマルチング材または生分解性樹脂に粉砕された草木を混合して線状体に形成したマルチング材を筒状体に巻き付け、前記巻き付けられたマルチング材を前記筒状体から引出して敷設することを特徴とするマルチング材の敷設方法である。
【０００６】
請求項１記載の発明によれば、マルチング材は生分解性樹脂からなるため、撤去作業が不要になる。また、線状体ないし塊状体に形成してあるので、植栽物の周囲などの所望の領域に容易に敷設することができる。
また、請求項２記載の発明によれば、生分解性樹脂に粉砕された草木が混合されているため、粉砕された草木が増量材となり、単位体積当たりの高価な生分解性樹脂の使用量を相対的に低減させることができる。なお、粉砕された草木は生分解性であるため、混合してもマルチング材の生分解性を損なうことはない。
また、請求項３記載の発明によれば、請求項１、２の発明において、生分解性樹脂が発泡体であるため、単位体積当たりの高価な生分解性樹脂の使用量を相対的に低減させることができる。
さらに、請求項４記載の発明によれば、線状体のマルチング材を作業性よく敷設することが出来る。
【０００７】
【発明の実施の形態】
以下、本発明の実施の形態を詳細に説明する。
図１は、本発明にかかるマルチング材の第１の実施形態の説明斜視図である。本実施形態のマルチング材１は、生分解性樹脂をパイプ状の線状体に形成し、緑色に着色したものである。前記マルチング材１は、複数本に束ねて筒状体であるボビン２に巻き付けて収納する。なお、前記マルチング材１は、必ずしも束ねて巻き付ける必要はない。
【０００８】
前記マルチング材１は、例えば以下のようにして敷設される。即ち、図２に示すように、植栽地で複数本に束ねたマルチング材１をボビン２から引出して、植栽物３を避けながら敷き詰め、コの字状の釘４を束ねたマルチング材１を跨ぐように長手方向に所望の間隔で地面５にさし込んで、マルチング材１を固定する。
【０００９】
本実施形態のマルチング材１が従来例と異なる特徴的なことは、生分解性樹脂からなるパイプ状の線状体であって、筒状体であるボビン２に巻き付けて収納されていることである。
【００１０】
したがって、線状体のマルチング材１をボビン２から引出して、円形状に曲げたり、蛇行や折り返しをさせて、植栽物周囲などの所望の領域に作業性よく敷設することができる。また、上述のように固定することにより、風雨などによる移動を防止することもでき、斜面での敷設も可能となる。また、生分解性であるため、撤去作業は不要になる。また、敷設後に歩行しても破損しにくい。また、パイプ状の線状体であるため、充実の線状体に比して、高価な生分解性樹脂の単位長当たりの使用量を低減することができ、保温性も向上する。さらに、緑色に着色することにより、植栽地の景観を損なうこともない。
【００１１】
次に第２の実施形態について説明する。本実施形態のマルチング材は、生分解性樹脂に木片を粉砕したものを配合し、これを塊状体に成形したものであり、所望の領域に敷きつめて敷設する。
【００１２】
本実施形態のマルチング材が従来例と異なる特徴的なことは、上述のように、生分解性樹脂に木片を粉砕したものを配合し、塊状体に成形したものである。したがって、生分解性樹脂のみからなる場合に比して、生分解性樹脂の単位体積当たりの使用量を低減することができる。また、塊状体のサイズ、形状を好適に設定することにより、敷き詰めて狭い領域にも作業性よく敷設することができる。また、敷設後に歩行しても破損しにくい。さらに、配合した木片も生分解性であるため、敷設後に撤去する必要はない。なお、配合される木片には、廃木材を利用することができる。
【００１３】
（実施例１）
マルチング材は、生分解性樹脂である脂肪酸ポリエステルを内径３ｍｍ、外径５ｍｍのパイプ状の線状体に形成し、緑色に着色した。前記マルチング材は、２０本に束ねて筒状体であるボビンに巻き付けて収納した。
【００１４】
（実施例２）
マルチング材は、生分解性樹脂である脂肪酸ポリエステルに木片を１ｍｍ以下に粉砕したものを２０％配合し、外径１０ｍｍの線状体に成形し、緑色に着色し、さらにこの線状体を３０ｍｍの長さに切断して、円柱状の塊状体とした。このマルチング材は、例えば円形状の植樹帯に厚さ１０ｃｍで敷き詰めた。なお、このマルチング材は、藁やウッドチップに比して風雨により飛散しにくいが、敷設した周囲を煉瓦で囲んだり、ネットで覆うと、より確実に飛散を防ぐことができる。
【００１５】
なお、上記実施例は本発明を具体化した例であって、本願発明の技術的範囲を限定するものではない。
例えば、生分解性樹脂としては、ポリ乳酸、澱粉、ポリブチレンサクシネートなどを用いることができる。
また、生分解性樹脂に粉砕された草木を混合したものの形状は、塊状体とは限らず、線状体、シートであってもよい。
また、生分解性樹脂は発泡体でもよく、発泡体にすることにより単位体積当たりの生分解性樹脂の使用量を低減することができ、保温性もよくなる。
また、生分解性樹脂に難燃剤を添加して難燃性を付与してもよく、そうすることにより、乾燥時の火災を防ぐことができる。また、着色剤を添加して、周囲の環境に合わせて好適な色に着色してもよく、そうすることにより、景観上も好ましくなる。さらに、熱安定剤、増量剤、紫外線安定剤、酸化防止剤などを添加してもよい。
【００１６】
【発明の効果】
以上説明したように請求項１記載の発明によれば、生分解性樹脂からなる線状体ないし塊状体であるので、所望の領域に容易に敷設することができ、敷設後の撤去作業が不要になるという優れた効果がある。
また、請求項２記載の発明によれば、生分解性を損なうことなく、高価な生分解性樹脂の単位体積当たりの使用量を相対的に低減させることができるという優れた効果がある。
また、請求項３記載の発明によれば、請求項１、２の発明において、高価な生分解性樹脂の単位体積当たりの使用量を相対的に一層低減させることができるという優れた効果がある。
さらに、請求項４記載の発明によれば、生分解性樹脂からなる線状体または生分解性樹脂に粉砕された草木が混合されてなる線状体のマルチング材を作業性よく敷設することができるという優れた効果がある。
【図面の簡単な説明】
【図１】本発明に係るマルチング材の一実施形態の説明斜視図である。
【図２】上記マルチング材の敷設状態の説明図である。
【符号の説明】
１            マルチング材
２            ボビン
３            植栽物
４            釘
５            地面
【図１】
2005000109.tif 000003
【図２】
2005000109.tif 000004